(57)【要約】【課題】貨幣の取り扱いのセキュリティを高められるようにする。【解決手段】貨幣処理機管理システムが、貨幣を収納する１つ以上のユニットを備える貨幣処理機と、前記貨幣処理機における入出金を処理する操作端末装置と、前記貨幣処理機と通信を行う管理端末装置と、を備え、前記貨幣処理機は、前記ユニットのうち少なくとも１つを、当該ユニットに対する操作を抑制するロック状態にするロック処理部を備え、前記管理端末装置は、前記ロック処理部を制御して前記ロック状態を解除させる制御部を備える。【選択図】図１
2017162188.tif 000002
【特許請求の範囲】
【請求項１】
貨幣を収納する１つ以上のユニットを備える貨幣処理機と、
前記貨幣処理機における入出金を処理する操作端末装置と、
前記貨幣処理機と通信を行う管理端末装置と、
を備え、
前記貨幣処理機は、前記ユニットのうち少なくとも１つを、当該ユニットに対する操作を抑制するロック状態にするロック処理部を備え、
前記管理端末装置は、前記ロック処理部を制御して前記ロック状態を解除させる制御部を備える、
貨幣処理機管理システム。
【請求項２】
前記操作端末装置のユーザに関する情報を取得する情報取得部と、
前記操作端末装置のユーザに関する情報に基づいて認証を行う認証処理部と、
を備え、
前記制御部は、前記認証処理部が認証に失敗した場合、前記ロック状態の解除を抑制する、
請求項１に記載の貨幣処理機管理システム。
【請求項３】
前記貨幣処理機は、前記ユニットのうち少なくとも１つについて、当該ユニットが収納している貨幣の量を示す収納量情報を取得する収納量情報取得部を備え、
前記管理端末装置は、前記収納量情報を表示する収納量情報表示部を備える、
請求項１または請求項２に記載の貨幣処理機管理システム。
【請求項４】
前記貨幣処理機は、前記ユニットのうち少なくとも１つについて、当該ユニットが収納している貨幣の量を示す収納量情報を取得する収納量情報取得部を備え、
前記管理端末装置は、前記収納量情報に基づいて、前記ユニットのうち少なくとも１つについてロック解除の要否を判定するロック解除要否判定部を備える、
請求項１または請求項２に記載の貨幣処理機管理システム。
【請求項５】
前記貨幣処理機は、前記ユニットの前記ロック状態を検出するロック状態検出部を備え、
前記管理端末装置は、前記ユニットが前記ロック状態にあるか否かを表示する表示部を備える、
請求項１から４のいずれか一項に記載の貨幣処理機管理システム。
【請求項６】
前記表示部は、前記ユニットが前記ロック状態にあるか否かの表示を一定周期で更新する、請求項５に記載の貨幣処理機管理システム。
【請求項７】
前記貨幣処理機の周囲を撮像する撮像装置を備え、
前記管理端末装置は、
前記撮像装置の撮像画像を表示する表示部と、
前記撮像装置の撮像画像を記憶する記憶部と、
を備える請求項１から６のいずれか一項に記載の貨幣処理機管理システム。
【請求項８】
貨幣を収納する１つ以上のユニットと、前記ユニットのうち少なくとも１つを、当該ユニットに対する操作を抑制するロック状態にするロック処理部とを備える貨幣処理機と、
前記貨幣処理機における入出金を処理する操作端末装置と、
前記ロック処理部を制御して前記ロック状態を解除させる制御部を備え、前記貨幣処理機と通信を行う管理端末装置と、
を用いて、
前記管理端末装置が、前記貨幣処理機と所定の通信を行って、前記制御部によって前記ロック処理部を制御して前記ロック状態を解除させる
貨幣処理機管理方法。
【請求項９】
貨幣を収納する１つ以上のユニットと、
前記ユニットのうち少なくとも１つを、当該ユニットに対する操作を抑制するロック状態にするロック処理部と、
を備え、
前記ユニットを用いた入出金を処理する操作端末装置と、
前記ロック処理部を制御して前記ロック状態を解除させる制御部を備える管理端末装置と、
に接続される貨幣処理機。
【請求項１０】
貨幣を収納する１つ以上のユニットと、前記ユニットのうち少なくとも１つを、当該ユニットに対する操作を抑制するロック状態にするロック処理部と、を備え、前記ユニットを用いた入出金を処理する操作端末装置に接続される貨幣処理機に接続され、
前記ロック処理部を制御して前記ロック状態を解除させる制御部を
備える管理端末装置。
【請求項１１】
貨幣を収納する１つ以上のユニットと、前記ユニットのうち少なくとも１つを、当該ユニットに対する操作を抑制するロック状態にするロック処理部と、を備え、前記ユニットを用いた入出金を処理する操作端末装置と、前記ロック処理部を制御して前記ロック状態を解除させる制御部を備える管理端末装置と、に接続される貨幣処理機が備えるコンピュータに、
前記管理端末装置と所定の通信を行い、前記制御部に前記ロック処理部を制御させて前記ロック状態を解除する
処理を実行させるプログラム。
【請求項１２】
貨幣を収納する１つ以上のユニットと、前記ユニットのうち少なくとも１つを、当該ユニットに対する操作を抑制するロック状態にするロック処理部とを備え、前記ユニットを用いた入出金を処理する操作端末装置に接続される貨幣処理機に接続され、
前記ロック処理部を制御して前記ロック状態を解除させる制御部を
備える管理端末装置が備えるコンピュータに、
前記貨幣処理機と所定の通信を行い、前記制御部によって前記ロック処理部を制御して前記ロック状態を解除する
処理を実行させるプログラム。
【発明の詳細な説明】
【技術分野】
【０００１】
本発明は、貨幣処理機管理システム、貨幣処理機管理方法、貨幣処理機、管理端末装置およびプログラムに関する。
【背景技術】
【０００２】
貨幣の収納のセキュリティに関連して幾つかの技術が提案されている。例えば、特許文献１には、扉のロック解除をＩＤ（識別符号）カードおよび暗証番号で行うようにした現金自動支払機の構成が記載されている。この特許文献１に記載されている現金自動支払機では、貨幣を収納する金庫の、機内への装填時または機内からの取出時に開かれる扉の扉開制御が、鍵のみでなく、ＩＤカード情報と入力暗証番号によるホストコンピュータ照合によって行われる。
【先行技術文献】
【特許文献】
【０００３】
【特許文献１】特開平６−３３３１２１号公報
【発明の概要】
【発明が解決しようとする課題】
【０００４】
特許文献１に記載の現金自動支払機によれば、例えＩＤカードがあっても暗証番号を知らなければ扉のロックを解除することができず、この点で、不正なロック解除の可能性を低減させることができる。不正なロック解除の可能性をさらに低減させて貨幣の取り扱いのセキュリティを高めることができれば、より好ましい。
【０００５】
本発明は、貨幣の取り扱いのセキュリティを高めることができる貨幣処理機管理システム、貨幣処理機管理方法、貨幣処理機、管理端末装置およびプログラムを提供する。
【課題を解決するための手段】
【０００６】
本発明の第１の態様によれば、貨幣処理機管理システムは、貨幣を収納する１つ以上のユニットを備える貨幣処理機と、前記貨幣処理機における入出金を処理する操作端末装置と、前記貨幣処理機と通信を行う管理端末装置と、を備え、前記貨幣処理機は、前記ユニットのうち少なくとも１つを、当該ユニットに対する操作を抑制するロック状態にするロック処理部を備え、前記管理端末装置は、前記ロック処理部を制御して前記ロック状態を解除させる制御部を備える。
【０００７】
前記操作端末装置のユーザに関する情報を取得する情報取得部と、前記操作端末装置のユーザに関する情報に基づいて認証を行う認証処理部と、を備え、前記制御部は、前記認証処理部が認証に失敗した場合、前記ロック状態の解除を抑制するようにしてもよい。
【０００８】
前記貨幣処理機は、前記ユニットのうち少なくとも１つについて、当該ユニットが収納している貨幣の量を示す収納量情報を取得する収納量情報取得部を備え、前記管理端末装置は、前記収納量情報を表示する収納量情報表示部を備えるようにしてもよい。
【０００９】
前記貨幣処理機は、前記ユニットのうち少なくとも１つについて、当該ユニットが収納している貨幣の量を示す収納量情報を取得する収納量情報取得部を備え、前記管理端末装置は、前記収納量情報に基づいて、前記ユニットのうち少なくとも１つについてロック解除の要否を判定するロック解除要否判定部を備えるようにしてもよい。
【００１０】
前記貨幣処理機は、前記ユニットの前記ロック状態を検出するロック状態検出部を備え、前記管理端末装置は、前記ユニットが前記ロック状態にあるか否かを表示する表示部を備えるようにしてもよい。
【００１１】
前記表示部は、前記ユニットが前記ロック状態にあるか否かの表示を一定周期で更新するようにしてもよい。
【００１２】
前記貨幣処理機の周囲を撮像する撮像装置を備え、前記管理端末装置は、前記撮像装置の撮像画像を表示する表示部と、前記撮像装置の撮像画像を記憶する記憶部と、を備えるようにしてもよい。
【００１３】
本発明の第２の態様によれば、貨幣処理機管理方法は、貨幣を収納する１つ以上のユニットと、前記ユニットのうち少なくとも１つを、当該ユニットに対する操作を抑制するロック状態にするロック処理部とを備える貨幣処理機と、前記貨幣処理機における入出金を処理する操作端末装置と、前記ロック処理部を制御して前記ロック状態を解除させる制御部を備え、前記貨幣処理機と通信を行う管理端末装置と、を用いて、前記管理端末装置が、前記貨幣処理機と所定の通信を行って、前記制御部によって前記ロック処理部を制御して前記ロック状態を解除させる。
【００１４】
本発明の第３の態様によれば、貨幣処理機は、貨幣を収納する１つ以上のユニットと、前記ユニットのうち少なくとも１つを、当該ユニットに対する操作を抑制するロック状態にするロック処理部と、を備え、前記ユニットを用いた入出金を処理する操作端末装置と、前記ロック処理部を制御して前記ロック状態を解除させる制御部を備える管理端末装置と、に接続される。
【００１５】
本発明の第４の態様によれば、管理端末装置は、貨幣を収納する１つ以上のユニットと、前記ユニットのうち少なくとも１つを、当該ユニットに対する操作を抑制するロック状態にするロック処理部と、を備え、前記ユニットを用いた入出金を処理する操作端末装置に接続される貨幣処理機に接続され、前記ロック処理部を制御して前記ロック状態を解除させる制御部を備える。
【００１６】
本発明の第５の態様によれば、プログラムは、貨幣を収納する１つ以上のユニットと、前記ユニットのうち少なくとも１つを、当該ユニットに対する操作を抑制するロック状態にするロック処理部と、を備え、前記ユニットを用いた入出金を処理する操作端末装置と、前記ロック処理部を制御して前記ロック状態を解除させる制御部を備える管理端末装置と、に接続される貨幣処理機が備えるコンピュータに、前記管理端末装置と所定の通信を行い、前記制御部に前記ロック処理部を制御させて前記ロック状態を解除する処理を実行させるプログラムである。
【００１７】
本発明の第６の態様によれば、プログラムは、貨幣を収納する１つ以上のユニットと、前記ユニットのうち少なくとも１つを、当該ユニットに対する操作を抑制するロック状態にするロック処理部とを備え、前記ユニットを用いた入出金を処理する操作端末装置に接続される貨幣処理機に接続され、前記ロック処理部を制御して前記ロック状態を解除させる制御部を備える管理端末装置が備えるコンピュータに、前記貨幣処理機と所定の通信を行い、前記制御部によって前記ロック処理部を制御して前記ロック状態を解除する処理を実行させるプログラムである。
【発明の効果】
【００１８】
本発明によれば、貨幣の取り扱いのセキュリティを高めることができる。
【図面の簡単な説明】
【００１９】
【図１】本発明の一実施形態に係る貨幣処理機管理システムを説明するためのシステム図である。
【図２】同実施形態に係る貨幣処理機管理システムを説明するためのブロック図である。
【図３】同実施形態に係るロック機構を概略的に示す平面図である。
【図４】同実施形態に係る貨幣処理機管理システムの動作を説明するための図である。
【図５】同実施形態に係る貨幣処理機管理システムの動作例を示すフローチャートである。
【発明を実施するための形態】
【００２０】
以下、本発明の実施形態を説明するが、以下の実施形態は特許請求の範囲にかかる発明を限定するものではない。また、実施形態の中で説明されている特徴の組み合わせの全てが発明の解決手段に必須であるとは限らない。
図１は、本発明の一実施形態に係る貨幣処理機管理システムを説明するためのシステム図である。図２は、同実施形態に係る貨幣処理機管理システムを説明するためのブロック図である。
【００２１】
図１および図２に示すように、貨幣処理機管理システム１０は、ＰＯＳ（Point Of Sale）端末である操作端末１と、貨幣処理機２と、管理サーバ３とを備える。なお、操作端末１および貨幣処理機２は複数台とすることができる。
操作端末１と管理サーバ３とは通信網４、通信線４１及び通信線４２を介して接続されていて、各種情報を送受信する。操作端末１と貨幣処理機２とは通信線４３を介して接続されていて、各種情報を送受信する。通信網４は、有線又は無線の構内通信網、公衆通信網、あるいはそれらの組み合わせ等から構成されている。通信線４１〜４３は、有線や無線の構内通信網、公衆通信網、それらの組み合わせ、あるいは制御信号用の通信線等から構成されている。
【００２２】
操作端末１、貨幣処理機２および管理サーバ３は、ＣＰＵ（Central Processing Unit）、記憶装置等を有する１または複数のコンピュータ（あるいはマイクロコンピュータ）を備え、所定のプログラムを実行することで動作する。操作端末１と貨幣処理機２は例えば店舗の売り場に一体的あるいは近接して設置されていている。管理サーバ３は例えば売り場ではない場所であるバックヤード５に設置されていている。操作端末１と貨幣処理機２は例えば予め登録された操作者によって操作され、管理サーバ３は予め登録された管理者（貨幣管理者等）によって操作される。
【００２３】
操作端末１は、ＰＯＳ機能を備えたレジスタとして動作する端末である。操作端末１は、貨幣処理機２における入出金の処理、すなわち、貨幣処理機２における入金の集計、および、出金の制御等を行う。操作端末１は、図２に示すように、制御部１０１、サーバＩ／Ｆ（インタフェース）１０２、カメラ等の撮像部１０３、レジ操作部１０４、レジ表示部１０５、バーコード読取部１０６、カード読取部１０７、料金表示部１０８、レシート印字部１０９および貨幣処理機Ｉ／Ｆ１１０を備える。
【００２４】
制御部１０１は所定のプログラムを実行することで、操作端末１の各部を制御する。
サーバＩ／Ｆ１０２は通信線４１、通信網４および通信線４２を介して管理サーバ３との間で情報を送受信するための通信装置である。
撮像部１０３は、例えば図１に示すようにレジ表示部１０５上方に取り付けられ、操作端末１および貨幣処理機２の周囲を撮像する。
【００２５】
レジ操作部１０４は、図１に示すように、レジ表示部１０５と一体として形成されたタッチセンサ１０４ａ、キーボード１０４ｂ、マウス１０４ｃ等の入力装置を備え、操作者による操作入力を受け付ける。
レジ表示部１０５は、液晶ディスプレイ、有機ＥＬ（Electroluminescence）ディスプレイ等の表示装置であり、操作者に対して各種情報を表示する。
【００２６】
バーコード読取部１０６は、商品、帳票等に印刷されているバーコードの読み取り装置である。
カード読取部１０７は、磁気カードやＩＣ（Integrated Circuit）カードに記録されている情報を読み取る読取装置である。カード読取部１０７は、例えば操作者のＩＤカードに記録されている操作者のＩＤ情報を読み取る。
料金表示部１０８は、商品の料金等を表示する表示装置である。
レシート印字部１０９はレシート等を印字するための印刷装置である。
貨幣処理機Ｉ／Ｆ１１０は、通信線４３を介して貨幣処理機２と所定の情報を送受信するための通信装置あるいは制御信号用の入出力装置である。
【００２７】
図１および図２に示すように、貨幣処理機２は、硬貨処理部２１と、紙幣処理部２２と、棒金管理部２３と、硬貨回収トレイ部２４とを備える。
硬貨処理部２１、紙幣処理部２２、棒金管理部２３、および硬貨回収トレイ部２４は、貨幣処理ユニット（貨幣を処理するためのユニット）である。硬貨処理部２１は、バラ硬貨の入金および釣銭硬貨の支払処理を行うための貨幣処理ユニットである。紙幣処理部２２は、バラ紙幣の入金および釣銭紙幣の支払処理を行うための貨幣処理ユニットである。棒金管理部２３は、釣銭の予備棒金を収納および管理するための貨幣処理ユニットである。硬貨回収トレイ部２４は、硬貨処理部２１内部の硬貨を脱着可能な回収硬貨収納トレイ２４７に収納して回収するための貨幣処理ユニットである。
【００２８】
貨幣処理機２は、操作端末１と連携して、あるいは単独で、貨幣である硬貨および貨幣である紙幣の入出金処理を含む各種処理を行う。貨幣処理機２の上には、例えば、貨幣処理機２の上位機となる操作端末１が設置され、貨幣処理機２は、操作端末１に接続されて売上金の入金、釣銭の出金等を行う。貨幣処理機２と操作端末１とが連結されて一体化されていてもよい。
硬貨処理部２１は、図２に示すように、制御部２１１と、上位Ｉ／Ｆ２１２と、紙幣処理部Ｉ／Ｆ２１３と、棒金管理部Ｉ／Ｆ２１４と、硬貨回収トレイ部Ｉ／Ｆ２１５と、機構制御部２１６と、電磁ロック制御部２１７とを備える。
【００２９】
制御部２１１は所定のプログラムを実行することで各部を制御する。
上位Ｉ／Ｆ２１２は、通信線４３を介して操作端末１の貨幣処理機Ｉ／Ｆ１１０に接続し、所定の情報を送受信するための通信装置あるいは制御信号用の入出力装置である。
紙幣処理部Ｉ／Ｆ２１３は、通信線２５１を介して紙幣処理部２２の上位Ｉ／Ｆ２２２に接続し、所定の情報を送受信するための通信装置あるいは制御信号用の入出力装置である。
棒金管理部Ｉ／Ｆ２１４は、通信線２５２を介して棒金管理部２３の上位Ｉ／Ｆ２３２に接続し、所定の情報を送受信するための通信装置あるいは制御信号用の入出力装置である。
硬貨回収トレイ部Ｉ／Ｆ２１５は、通信線２５３を介して硬貨回収トレイ部２４の上位Ｉ／Ｆ２４２に接続し、所定の情報を送受信するための通信装置あるいは制御信号用の入出力装置である。
【００３０】
機構制御部２１６は、硬貨処理部２１においてバラ硬貨の入金、釣銭硬貨の支払等の処理を行うための各種機構を含む。機構制御部２１６は、例えば、貨幣の量を検知するための複数のセンサを含む。電磁ロック制御部２１７は、硬貨処理部２１が有する電磁ロック機構を制御したり、硬貨回収トレイ部２４が備える電磁ロック駆動部２４４を制御したりする。
また、硬貨処理部２１は、図１に示すように、入金処理時に装置外から硬貨が投入される上方開口のホッパからなる硬貨入金口２１８を備えている。硬貨入金口２１８には、複数金種が混在する金種混合状態で硬貨が装置外から一括投入可能である。硬貨入金口２１８は、入れられた硬貨を貯留しつつ一枚ずつ分離して装置内に繰り出す。また、硬貨入金口２１８の左側には、操作者による入力操作を受けると共に操作者に対して表示を行う操作表示部２１９が設けられている。
【００３１】
また、硬貨処理部２１には、硬貨入金口２１８に投入されたものの受け入れ不可と識別された受入不可硬貨を装置外に取り出し可能に貯留する硬貨リジェクト口２１１０と、硬貨の放出関連処理時に装置内から放出される硬貨を受け取って装置外に取り出し可能に貯留する硬貨出金口２１１１とが設けられている。硬貨リジェクト口２１１０と硬貨出金口２１１１とは、上方開口の受け皿状をなしている。
また、硬貨処理部２１は、筐体下面に硬貨回収トレイ部２４に硬貨を繰り出すための繰出口を有し、この繰出口に対向するように硬貨回収トレイ部２４の筐体上面に設けられている導入口に対して繰出口から硬貨を繰り出し、硬貨回収トレイ部２４に硬貨を導入する。
【００３２】
一方、紙幣処理部２２は、図２に示すように、制御部２２１と、上位Ｉ／Ｆ２２２と、機構制御部２２３と、電磁ロック制御部２２４とを備える。
制御部２２１は所定のプログラムを実行することで各部を制御する。
上位Ｉ／Ｆ２２２は、通信線２５１を介して硬貨処理部２１の紙幣処理部Ｉ／Ｆ２１３に接続し、所定の情報を送受信するための通信装置あるいは制御信号用の入出力装置である。
機構制御部２２３は、紙幣処理部２２においてバラ紙幣の入金、釣銭紙幣の支払等の処理を行うための各種機構を含む。機構制御部２２３は、例えば、貨幣の量を検知するための複数のセンサを含む。
電磁ロック制御部２２４は、紙幣処理部２２が有する着脱可能に装着された紙幣の回収庫２２７の引き出し、あるいは扉を開ける動作をロックする電磁機構である。
【００３３】
また、紙幣処理部２２は、図１に示すように、入金処理時に装置外からバラ紙幣が投入される上方開口の紙幣入金口２２５を備える。また、紙幣入金口２２５の後側に、出金処理時に装置内から出金紙幣が繰り出されると共に入金処理時に受け入れ不可と識別された受入不可紙幣が装置内から繰り出される紙幣出金口２２６が設けられている。紙幣入金口２２５には、複数金種が混在する金種混合状態で紙幣が装置外から一括投入可能であり、このように入れられた紙幣を一枚ずつ分離して装置内に繰り出す。
【００３４】
棒金管理部２３は、図２に示すように、制御部２３１と、上位Ｉ／Ｆ２３２と、機構制御部２３３と、電磁ロック制御部２３４とを備える。
制御部２３１は所定のプログラムを実行することで各部を制御する。
上位Ｉ／Ｆ２３２は、通信線２５２を介して硬貨処理部２１の棒金管理部Ｉ／Ｆ２１４に接続し、所定の情報を送受信するための通信装置あるいは制御信号用の入出力装置である。
機構制御部２３３は、棒金管理部２３において釣銭の予備棒金を収納して管理する処理を行うための各種機構を有する。機構制御部２３３は、例えば、棒金の種類と棒金の収納の有無を検知する検知部、図１に示す棒金収納ドロア２３５の開閉状態を表示する表示灯等を含む。
【００３５】
棒金収納ドロア２３５は、図１において棒金管理部２３の筐体から矢印Ａの方向に引き出し可能な引き出しである。
電磁ロック制御部２３４は、図１に示した棒金収納ドロア２３５の引き出し動作をロックするロック機構２３６と、ロック機構２３６の駆動回路とを有する。
また、棒金収納ドロア２３５には、紙葉類を収納する紙葉類収納部、バラ硬貨を収納するトレイ状のバラ硬貨収納部、および貨幣以外の収納物を収納するトレイ状の貨幣以外収納部と、棒金を収納する棒金収納部２３７とを備えている。
【００３６】
紙葉類収納部は、バラ紙幣、商品券、クレジットの明細書等の金融的価値がある紙葉類を収納する。
バラ硬貨収納部は、例えば、金種混合のバラ硬貨を収納することができる。
貨幣以外収納部は、印鑑等が収納可能である。
棒金収納部２３７は、例えば日本国内で主に流通している６金種の硬貨の棒金を収納可能である。なお、棒金は、単一金種の硬貨が規定枚数（例えば５０枚）集積され包装シートで包装されて一体化されたものである。棒金収納部２３７には、１円硬貨の棒金を収納する収納部を複数有する１円硬貨トレイと、５円硬貨の棒金を収納する収納部を複数有する５円硬貨トレイと、１０円硬貨の棒金を収納する収納部を複数有する１０円硬貨トレイと、５０円硬貨の棒金を収納する収納部を複数有する５０円硬貨トレイと、１００円硬貨の棒金を収納する収納部を複数有する１００円硬貨トレイと、５００円硬貨の棒金を収納する収納部を複数有する５００円硬貨トレイとが設けられている。また、各トレイの各収納部には、棒金の有無と棒金が収納対象でない異金種であるか収納対象の正金種であることを検出する磁気センサ等の棒金検知部が設けられている。
【００３７】
ここで、図３を参照して、図１に示したロック機構２３６の構成例について説明する。
図３は、図１に示した棒金管理部２３が備えるロック機構２３６および後述するロック機構２４６を概略的に示す平面図である。以下では代表してロック機構２３６について説明する。図３に示したロック機構２３６は、可動部６０とロックピン７０とを備える。ロック機構２３６は、棒金収納ドロア２３５が閉じた状態では、図１に示したように、棒金管理部２３の筐体の後部周辺（矢印Ａの反対方向）に位置している。
【００３８】
可動部６０は棒金管理部２３の筐体後部に設けられていて棒金収納ドロア２３５が引き出された場合でも可動部６０の筐体に対する位置は変化しない。他方、ロックピン７０は棒金収納ドロア２３５に設けられている。したがって、棒金収納ドロア２３５が引き出された場合、ロックピン７０の筐体に対する位置が変化する。可動部６０は、ロックピン７０をロックすることで棒金収納ドロア２３５を閉状態でロックしたり、ロックピン７０を矢印Ａ１の方向（図１の矢印Ａと同一方向）に押し出すことで棒金収納ドロア２３５を矢印Ａ１の方向に押し出して引き出し可能な状態にしたりする。
【００３９】
図３に示した可動部６０は、ソレノイド６１、プランジャー６２、フック６３、レバー６４および検出部６５を備える。図３は、ソレノイド６１がオフの状態でのフック６３およびレバー６４の状態を示す。また、フック６３およびレバー６４とロックピン７０の位置関係は、棒金収納ドロア２３５が矢印Ａ２の方向に押し込まれて、棒金収納ドロア２３５が閉じた状態の位置関係である。ソレノイド６１がオフの状態では、フック６３がロックピン７０を引っ掛けた状態であり、ロックピン７０を矢印Ａ１の方向に引き出すことはできない。したがって、ソレノイド６１がオフの状態では棒金収納ドロア２３５が閉状態でロックされる。この状態で検出部６５は、ロック機構２３６がロック状態であることを検出する。
【００４０】
一方、図３に示した状態でソレノイド６１がオンになると、プランジャー６２が矢印Ｂ１の方向へ引かれる。プランジャー６２が矢印Ｂ１の方向へ引かれるとフック６３が開方向（矢印Ｃ１の方向）へ回動するとともに、レバー６４がロックピン７０を矢印Ａ１の方向へ押し出す方向へ回動する。ここでロックピン７０はフック６３の外側（矢印Ａ１の方向側）に押し出される。このようにソレノイド６１がオンの状態では、棒金収納ドロア２３５は、矢印Ａ１の方向に押し出されて引き出し可能な状態となる。この状態で検出部６５は、ロック機構２３６が非ロック状態であることを検出する。
【００４１】
図１に示した棒金収納ドロア２３５が棒金管理部２３の筐体に押し込まれた閉状態では、操作者は棒金収納ドロア２３５内にアクセスすることができない。他方、棒金収納ドロア２３５が筐体から引き出された開状態では、棒金収納ドロア２３５内への操作者によるアクセスが可能となる。
ロック機構２３６は、例えば管理サーバ３からの指示に従って操作端末１の制御部１０１が出力した解除信号に応じて、電磁ロック制御部２３４によってソレノイド６１をオンにすることで、ロックを解除する。ロック機構２３６は、ロックを解除すると、棒金管理部２３の筐体から棒金収納ドロア２３５を少し突出させる。これにより、棒金管理部２３の筐体からの棒金収納ドロア２３５の引き出しが可能になる。すなわち、棒金収納ドロア２３５は、矢印Ａ１の方向に押し出されて引き出し可能な状態となる。この状態で検出部６５は、ロック機構２３６が非ロック状態であることを検出する。検出部６５がロック機構２３６の非ロック状態を検出すると、電磁ロック制御部２３４はソレノイドをオフにする。ソレノイド６１がオフになると、プランジャー６２が矢印Ｂ２の方向へ押し戻される。プランジャー６２が矢印Ｂ２の方向へ押し戻されると、フック６３が閉方向（矢印Ｃ２の方向）へ回動するとともに、レバー６４がロックピン７０を矢印Ａ１の方向へ押し出す前の位置に復帰する。フック６３が閉方向に回動した状態で、ロックピン７０は、フック６３の外側（非ロック状態の位置）から内側（ロック状態の位置）へは動くことができる。したがって、その後、棒金収納ドロア２３５が棒金管理部２３の筐体に押し込まれて閉状態になると、ロック機構２３６は、自動的に棒金収納ドロア２３５を棒金管理部２３の筐体にロックする。
【００４２】
一方、硬貨回収トレイ部２４は、図２に示すように、制御部２４１と、上位Ｉ／Ｆ２４２と、回収トレイセット検知部２４３と、電磁ロック駆動部２４４とを備える。また、硬貨回収トレイ部２４は、図１に示す硬貨収納ドロア２４５を備える。
硬貨収納ドロア２４５は、図１において硬貨回収トレイ部２４の筐体から矢印Ａ１の方向に引き出し可能な引き出しである。
【００４３】
硬貨回収トレイ部２４は、回収硬貨収納トレイ２４７を有するとともに、上述した硬貨回収トレイ部２４の筐体上面に図示していない導入口を有し、硬貨収納ドロア２４５が硬貨回収トレイ部２４の筐体内に押し込まれた閉状態で、硬貨処理部２１の下部に設けられた繰出口から繰り出された硬貨を、導入口から導入し、回収硬貨収納トレイ２４７に収納する。回収硬貨収納トレイ２４７は、上方開口の有底箱状であり、硬貨収納ドロア２４５に対して着脱可能に設けられている。
すなわち、硬貨回収トレイ部２４の筐体から硬貨収納ドロア２４５が引き出された状態で、回収硬貨収納トレイ２４７は、硬貨回収トレイ部２４から取り外されたり、硬貨回収トレイ部２４に取り付けられたりする。回収硬貨収納トレイ２４７は、例えば硬貨を金種混合の状態で一括して３００枚程度収納可能である。
【００４４】
図２に示す制御部２４１は、所定のプログラムを実行することで各部を制御する。
上位Ｉ／Ｆ２４２は、通信線２５３を介して硬貨処理部２１の硬貨回収トレイ部Ｉ／Ｆ２１５に接続し、所定の情報を送受信するための通信装置あるいは制御信号用の入出力装置である。
回収トレイセット検知部２４３は、回収硬貨収納トレイ２４７がセットされた状態にあるか否かを検知する。
【００４５】
電磁ロック駆動部２４４は、硬貨収納ドロア２４５の引き出し動作をロックする図１に示したロック機構２４６と図示していないロック機構２４６の駆動回路とを有する。
ロック機構２４６は図３に示す構成を有する。また、硬貨回収トレイ部２４は、セットされた状態の回収硬貨収納トレイ２４７に収納されている硬貨が満杯状態にあるか否かを検知する図示略のトレイフル検知部等を備えていてもよい。
【００４６】
図１に示した硬貨収納ドロア２４５が硬貨回収トレイ部２４の筐体に押し込まれた閉状態では、操作者は硬貨回収トレイ部２４内にアクセスすることができない。すなわち、硬貨収納ドロア２４５が硬貨回収トレイ部２４の筐体に押し込まれた閉状態では、操作者は回収硬貨収納トレイ２４７にアクセスすることができない。他方、硬貨回収トレイ部２４が筐体から引き出された開状態では、回収硬貨収納トレイ２４７等、硬貨回収トレイ部２４内への操作者によるアクセスが可能となる。
【００４７】
ロック機構２４６は、例えば管理サーバ３からの指示に従って操作端末１の制御部１０１が出力した解除信号に応じて電磁ロック制御部２１７の制御の下、電磁ロック駆動部２４４によってソレノイド６１をオンにして、ロックを解除する。ロック機構２４６は、ロックを解除すると、硬貨回収トレイ部２４の筐体から硬貨収納ドロア２４５を少し突出させる。これにより、硬貨回収トレイ部２４の筐体からの硬貨収納ドロア２４５の引き出しが可能になる。
その後、ソレノイド６１がオフになり、さらに硬貨収納ドロア２４５が硬貨回収トレイ部２４の筐体に押し込まれて閉状態になると、ロック機構２４６は、自動的に硬貨収納ドロア２４５を硬貨回収トレイ部２４の筐体にロックする。
【００４８】
一方、管理サーバ３は、図２に示すように、制御部３０１と、操作端末Ｉ／Ｆ３０２と、操作部３０３と、表示部３０４と、情報格納部３０５と、貨幣処理機ユニットロック管理部３０６とを備える。
制御部３０１は所定のプログラムを実行することで各部を制御する。
操作端末Ｉ／Ｆ３０２は、通信線４２、通信網４および通信線４１を介して操作端末１のサーバＩ／Ｆ１０２に接続し、所定の情報を送受信するための通信装置である。
【００４９】
操作部３０３は、キーボード、マウス等の入力装置を備えてユーザ操作を受ける。
表示部３０４は、液晶ディスプレイ等の表示装置である。
情報格納部３０５は、ハードディスク等の記憶装置である。情報格納部３０５は、例えば、管理対象の操作端末１および貨幣処理機２の識別情報や仕様を示す情報、管理サーバ３を操作する管理者の識別情報や認証処理のための情報、操作端末１および貨幣処理機２を操作する操作者の識別情報や認証処理のための情報、貨幣処理機２が収納している貨幣の量を示す情報、撮像部１０３が撮像した画像情報等を記憶する。
貨幣処理機ユニットロック管理部３０６は、貨幣処理ユニットのロック状態を管理するための１または複数のプログラムを含み、制御部３０１によって実行され、各種機能を提供する。なお、貨幣処理機ユニットロック管理部３０６は、制御部３０１に含まれていてもよい。
【００５０】
貨幣処理機ユニットロック管理部３０６は、例えば、貨幣処理機２における各貨幣処理ユニット（硬貨処理部２１、紙幣処理部２２、棒金管理部２３、および硬貨回収トレイ部２４）（以下、単にユニットとも称する）において、当該ユニットに対するユーザ操作を抑制する状態であるロック状態にする処理、及び、ロック状態を解除させる処理を実行するためのプログラムを含む。また、貨幣処理機ユニットロック管理部３０６は、操作端末１の撮像部１０３が撮影した画像を表示部３０４に表示したり、情報格納部３０５に記録したりするためのプログラムを含む。また、貨幣処理機ユニットロック管理部３０６は、操作端末１の撮像部１０３が撮影した画像に基づいて顔認証処理等を行って操作者を認識および認証する処理を実行するためのプログラムを含む。また、貨幣処理機ユニットロック管理部３０６は、貨幣処理機２が収納する貨幣の量を表す情報（収納量情報）を取得して、表示部３０４に表示したり、貨幣の量に基づいてロックを解除することが妥当か否かを判定したりするためのプログラムを含む。
【００５１】
次に図４を参照して、本実施形態の貨幣処理機管理システム１０が行う処理の概要について説明する。図４は、貨幣媒体の種別と、貨幣の扱いの種別と、操作部位と、ユニットの解放処理の内容と、ロック解除処理の内容との関係を示す説明図である。ユニットの解放処理の内容は、ユニットにおいてロックを解除する処理の内容を表す。ロック解除処理の内容は管理サーバ３においてロックを解除するために実行する処理の内容を表す。
【００５２】
貨幣媒体が紙幣の場合、貨幣の扱いは、装填または補充と回収の２通りである。装填または補充は貨幣を新規にまたは追加で貨幣処理ユニットに詰め込むことを意味し、回収は貨幣を貨幣処理ユニットから取り戻すことを意味する。操作部位は、装填または補充の場合には紙幣入金口２２５であり、回収の場合には回収庫２２７である。ユニットの解放処理は、紙幣入金口２２５についてはロック解除処理の対象外であり、回収庫２２７については回収庫２２７の引き出しである。また回収庫２２７の引き出しに対するロックの解除は、バックヤード５の管理者が貨幣処理機２の操作者からロックの解除要請を受け、管理者が妥当性を状況から判断し、管理サーバ３を操作してロックを解除することで行われる。
【００５３】
貨幣媒体が硬貨の場合、貨幣の扱いは、装填または補充と回収の２通りである。操作部位は、装填または補充の場合には硬貨入金口２１８であり、回収の場合には硬貨出金口２１１１または回収硬貨収納トレイ２４７である。ユニットの解放処理は、硬貨入金口２１８および硬貨出金口２１１１についてはロック解除処理の対象外であり、回収硬貨収納トレイ２４７については硬貨収納ドロア２４５の引き出しである。また硬貨収納ドロア２４５の引き出しに対するロックの解除は、バックヤード５の管理者が貨幣処理機２の操作者からロックの解除要請を受け、管理者が妥当性を状況から判断し、管理サーバ３を操作してロックを解除することで行われる。
【００５４】
貨幣媒体が棒金の場合、貨幣の扱いは、装填または補充と回収と釣り銭補充取出しの３通りである。釣り銭補充取出しは、収納している棒金を取り出してバラにし、硬貨処理部２１へ入金することを意味する。操作部位は、貨幣の扱いによらず棒金収納部２３７である。ユニットの解放処理は、貨幣の扱いによらず棒金収納ドロア２３５の引き出しである。また棒金収納ドロア２３５の引き出しに対するロックの解除は、バックヤード５の管理者が貨幣処理機２の操作者からロックの解除要請を受け、管理者が妥当性を状況から判断し、管理サーバ３を操作してロックを解除することで行われる。
なお、貨幣処理機管理システム１０では、障害発生時は現象から必要箇所のユニットのロック状態を管理サーバ３による制御によって解除し、ユニットを引出し、点検対処することができる。
【００５５】
次に、図５を参照して貨幣処理機管理システム１０の動作例について説明する。図５は管理サーバ３が実行する処理の流れを示すフローチャートである。ここではロック解除の処理について、操作端末１の操作者が硬貨釣銭補充のため棒金収納ドロア２３５を引き出す場合の処理を例にして説明を行う。
以下では、管理サーバ３の貨幣処理機ユニットロック管理部３０６を、単に管理サーバ３と称する。
いま貨幣処理機２が接続された操作端末１の操作者が、釣銭補充のため棒金収納ドロア２３５のロック解除を管理者に対して依頼したとする。この依頼は、例えば、携帯電話やインターホンなどの通信手段を用いて行ったり、操作端末１や貨幣処理機２を操作して管理サーバ３や管理者の携帯端末等に通知することで行ったりすることができる。
【００５６】
管理サーバ３は、管理者、対象の操作者、対象の操作端末１および貨幣処理機２、ロック解除の対象を特定する情報のうちの全部または一部を指定した所定の指示操作を操作部３０３で受け付けることで（あるいは例えば操作端末１からの依頼の通知を受信することで）処理を開始する（ステップＳ１０１）。ここでのロック解除の対象は、棒金収納ドロア２３５である。
次に、管理サーバ３は、依頼元の操作者が操作する操作端末１の撮像部１０３が撮像した画像の取得を開始する（ステップＳ１０２）。
【００５７】
次に管理サーバ３は操作端末１の撮像部１０３が撮像した画像の表示部３０４における表示を開始する（ステップＳ１０３）。例えば管理者は、依頼元の操作者が操作する操作端末１の近辺の画像をみて状況を判断する。
管理者は、例えば、状況が妥当であると判断した場合に、操作部３０３を操作して、処理の継続を指示する（ステップＳ１０４〜Ｓ１０５）。
管理者が、操作部３０３を操作して、処理の中止を指示した場合（ステップＳ１０５：ＮＯ）、図５の処理を終了する。
【００５８】
ステップＳ１０４〜Ｓ１０５で処理の継続が指示された場合（ステップＳ１０５：ＹＥＳ）、管理サーバ３は、撮像部１０３が撮像した画像から操作者の顔画像を取得し（ステップＳ１０６）、情報格納部３０５が記憶する顔認証処理用の情報を参照して顔認証処理を実行する（ステップＳ１０７〜Ｓ１０８）。ステップＳ１０７の顔認証処理では、ステップＳ１０６で取得した操作者の顔画像と、情報格納部３０５に予め登録されている操作者の顔画像や顔画像の特徴情報とを照合することで、操作端末１の操作者が貨幣処理機２の正当な操作者として登録されているか否かを判定する。
【００５９】
ステップＳ１０７〜Ｓ１０８の顔認証処理で登録者ではないと判定された場合（ステップＳ１０８：ＮＯ）、管理サーバ３は、登録者ではない旨の認証結果を表示部３０４に表示して（ステップＳ１１６）、図５の処理を終了する。
他方、ステップＳ１０７〜Ｓ１０８の顔認証処理で登録者であると判定された場合（ステップＳ１０８：ＹＥＳ）、管理サーバ３は、認証処理結果を表示部３０４に表示するとともに、貨幣処理機２の状態を示す情報を取得して表示部３０４に表示する（ステップＳ１０９）。ステップＳ１０９では管理サーバ３が操作端末１に対して貨幣処理機２の状態の送信を要求する。
【００６０】
ここで、貨幣処理機２の状態は、各貨幣処理ユニットにおけるロックの有無、各貨幣処理ユニットが収納している貨幣の量等を表す。操作端末１は貨幣処理機２からロックの有無、収納している貨幣の量等を表す情報を取得して管理サーバ３へ送信する。ステップＳ１０９で管理サーバ３は操作端末１から受信した情報を表示部３０４に表示するとともに、操作者が登録者である旨の認証結果を表示部３０４に表示する。ステップＳ１０９で貨幣処理機２の状態を表示することで、例えばロック解除の妥当性を判断することができる。管理者は、例えば釣銭補充の必要性の有無を判断し、必要性がある場合に妥当性ありと判断することができる。また、管理者は、例えば他のロックの状態を確認することで通常と同じ態様での依頼か否かを確認し、当該ロック解除の妥当性を判断することができる。また、この例ではステップＳ１０９で表示部３０４が、対象の棒金収納ドロア２３５がロック状態であること等を表示する。
【００６１】
なお、管理サーバ３は、操作端末１に対して貨幣処理機２の状態の送信を一定周期毎に繰り返し要求し、表示部３０４における貨幣処理機２の状態の表示を一定周期毎に更新することができる。
また、管理サーバ３は、例えば、貨幣の量を示す情報に基づいて、ユニットのうち少なくとも１つについてロック解除の要否を判定する処理（この処理を行う構成をロック解除要否判定部と称する）を行い、判定結果を表示部３０４に表示したり、判定の結果に基づいてロックの解除を抑制するようにしたりしてもよい。このロック解除の要否を判定する処理では、例えば、釣銭の硬貨を収納している硬貨処理部２１が収納している硬貨の量が少ないことを検出した場合、予備の硬貨を収納している棒金管理部２３のロックを解除する必要ありと判定することができ、また、硬貨の量が少なくないことを検出した場合、ロック解除する必要なしと判定することができる。
管理サーバ３は、ロック解除要否の判定結果を表示して管理者がロックを解除するか否かを判断するようにしてもよいし、ロック解除の必要ありと判定されることを、ロック状態を解除させるための必要条件として用いるようにしてもよい。
【００６２】
次に管理サーバ３は、管理者による操作部３０３に対する操作に応じてロックを解除するか否かの指示を入力する（ステップＳ１１０〜Ｓ１１１）。
ロックを解除しない旨の指示入力を受けた場合（ステップＳ１１１：ＮＯ）、図５の処理を終了する。
一方、ステップＳ１１０〜Ｓ１１１でロックを解除する旨の指示入力を受けた場合（ステップＳ１１１：ＹＥＳ）、管理サーバ３は、操作端末１の撮像部１０３が撮像した画像の録画を開始する（ステップＳ１１２）。
【００６３】
次に、管理サーバ３は、操作端末１に対して棒金収納ドロア２３５のロック解除を指示する（ステップＳ１１３）。ここで、操作端末１は貨幣処理機２の硬貨処理部２１へ棒金収納ドロア２３５のロック解除を指示し、硬貨処理部２１が棒金管理部２３に指示を出し、電磁ロック駆動部２４４がロック機構２３６のロックを解除する。ロック機構２３６の検出部６５が非ロック状態を検出し、この検出結果が操作端末１経由で管理サーバ３へ通知される。この通知を受信すると管理サーバ３は、表示部３０４に表示している対象の棒金収納ドロア２３５の状態をロック状態から非ロック状態に変更する。棒金収納ドロア２３５が押し出されると、操作者は、棒金収納ドロア２３５を引き出し、棒金収納部２３７から補充する金種の棒金を取り出し、棒金をばらして硬貨を硬貨処理部２１の硬貨入金口２１８に投入する。この段階で硬貨処理部２１が収納する貨幣の増加と、棒金管理部２３が収納する棒金の減少が検出され、検出結果が管理サーバ３へ通知される。この通知を受信すると管理サーバ３は、表示部３０４に表示している各貨幣処理ユニットが収納している貨幣の量の表示を変更する。また、操作者が棒金収納ドロア２３５を押し込むと、棒金収納ドロア２３５がロックされ、棒金収納ドロア２３５の状態がロック状態に変化したことが管理サーバ３へ通知される。
【００６４】
管理サーバ３は、棒金収納ドロア２３５の状態がロック状態になるのを待ち受ける（ステップＳ１１４）。ロック状態を検出しない場合（ステップＳ１１４：ＮＯ）、ステップＳ１１４へ戻る。
一方、棒金収納ドロア２３５の状態がロック状態になったことを認識すると（ステップＳ１１４：ＹＥＳ）、管理サーバ３は、操作端末１からの画像の取得と録画を停止して（ステップＳ１１５）、図５の処理を終了する。このステップＳ１１５では、管理サーバ３は、例えば、録画した画像とロック解除処理の内容（操作者の識別情報、操作端末１および貨幣処理機２の識別情報、処理時刻、処理内容等）とを紐づけて履歴情報として情報格納部３０５に記憶することができる。
【００６５】
以上のように本実施形態によれば、１または複数台の貨幣処理機２の扉やユニット解放を行う際に、管理者がバックヤード５などから通信線や通信網を介して結ばれた管理サーバ３により貨幣処理機２の操作端末１に設置された撮像部１０３の撮像データを用いて操作者の本人確認と解放の必要性を判断し扉やユニット解放を行うことができる。このように、本実施形態によれば、貨幣処理機２のロック解除を管理者が管理サーバ３から行うことで、現金の取り扱いのセキュリティを高めることができる。本実施形態によれば、管理者が、ユニットのロックを管理することができる。これにより、不正なロック解除の可能性を低減させることができる。この構成によれば、例えばＩＤカードおよび暗証番号を不正に入手した第三者が操作した場合や、本人が不当に操作した場合に、扉やユニットを解放してしまうことを防止することができる。
【００６６】
なお、管理サーバ３は店舗内バックヤードでなく、本店などに置き店舗（支店）に置かれた貨幣処理機２を制御してもよい。例えば、休日などの人員不足などに有効である。また、ロックおよびロック解除の対象は、回収庫や収納ドロアを引き出す動作だけでなく、ユニット全体やトレイ、回収金庫の扉や貨幣に触れる可能性がある収納庫の扉等を開く動作としてもよい。また、管理サーバ３と貨幣処理機２は、操作端末１を介して通信を行ってもよいし、管理サーバ３と貨幣処理機２とが操作端末１を介さず直接的に通信接続されていてもよい。
【００６７】
ここで本実施形態における管理サーバ３の機能（あるいは機能の変形例）について以下にまとめる。
（１）管理サーバ３は、操作端末（ＰＯＳ端末）１に設置された撮像部１０３からの画像により、装置状況や操作者の操作を管理者が確認できるようにする機能を提供する。ただし、撮像部１０３は、貨幣処理機２が備えていてもよいし、操作端末１や貨幣処理機２とは別の装置であってもよい。
（２）管理サーバ３は、撮像部１０３で撮像された操作者の顔データから本人確認を行う顔認証の機能を提供する。ただし、管理サーバ３は、撮像部１０３を用いてあるいは撮像部１０３に加えて他の検知器を用いて、指紋、瞳の虹彩、声等の操作者に関する他の情報を用いた生体認証による本人確認を行うようにしてもよい。また、管理サーバ３は、生体認証とともにあるいは生体認証に代えてパスワード認証等、他の認証方法で認証処理を行うようにしてもよい。また、認証処理で用いる操作者の情報を検知あるいは入力するための検知装置あるいは入力装置は、操作端末１に限らず貨幣処理機２が備えていてもよいし、あるいは操作端末１および貨幣処理機２とは別の装置（例えば認証処理用の専用装置やスマートフォン等の通信端末）として設けられていてもよい。また、認証処理は、管理サーバ３内で行ってもよいし、管理サーバ３と連携してあるいは連携せず独立して操作端末１や貨幣処理機２あるいは独立の装置で行って認証処理の結果を管理サーバ３へ送信するようにしてもよい。
【００６８】
（３）管理サーバ３は、管理対象の貨幣処理機２のロック状態等の状況を示す情報を取得し、情報格納部３０５への蓄積や表示部３０４への表示が可能である。さらに、管理サーバ３は、ユニット別あるいは貨幣処理機２全体の貨幣残量や障害発生箇所などを蓄積したり表示したりすることもできる。
（４）管理サーバ３が管理する貨幣処理機２の情報は情報格納部３０５内部に登録されており、管理者は、操作する貨幣処理機２を指定し装置構成を表示部３０４に表示させながら解除するロック部を指定してもよい。また、管理サーバ３は、上記３項の情報から解放が必要なユニットを、点滅させたり表示色を変更したりして表示する選択表示を行うことができる。すなわち、補充や回収が必要なユニットを管理サーバ３が管理者に対して提示するようにしてもよい。
【００６９】
（５）管理サーバ３は、管理する貨幣処理機２のユニットやトレイの状態情報を一定周期で取得することで、管理サーバ３の制御によらずに貨幣処理機２単独でユニットやトレイが解放されていないか否かを監視するようにしてもよい。
（６）管理サーバ３の操作は、予め登録した所定の管理権限を持つ管理者でなければできないようにすることが好ましい。
（７）管理サーバ３は、ロック解除中の操作について撮像された画像により履歴を残すことができる。
（８）管理サーバ３は、貨幣処理機を複数管理できる。
【００７０】
次に本実施形態における貨幣処理機２の機能（あるいは機能の変形例）について以下にまとめる。
〈１〉貨幣処理機２は、例えば鍵による開放が管理されているユニットや扉に電磁ロック解除手段を設けて上位装置からの指示によりロック解除が可能な仕組みを持っている。
〈２〉貨幣処理機２では、収納ドロア等でロック解除されると、若干前方に移動し解除が判るようになっている。
〈３〉貨幣処理機２では、収納ドロア等での再ロックの際には、収納ドロア等を押し込むと自動的にロックされる。
〈４〉貨幣処理機２では、電磁ロック解除手段が停電時はロック方向に働き、鍵による開放が可能となるようにすることができる。
【００７１】
また、本実施形態の態様は以下のようにまとめることができる。
［１］本実施形態の一態様は、貨幣を収納する１つ以上のユニットを備える貨幣処理機２と、貨幣処理機２における入出金を処理する操作端末１（操作端末装置）と、貨幣処理機２と通信を行う管理サーバ３（管理端末装置）と、を備え、貨幣処理機２は、ユニットのうち少なくとも１つを、当該ユニットに対する操作を抑制するロック状態にする電磁ロック制御部２１７、２２４、２３４または電磁ロック駆動部２４４（ロック処理部）を備え、管理サーバ３（管理端末装置）は、電磁ロック制御部２１７、２２４、２３４または電磁ロック駆動部２４４（ロック処理部）を制御してロック状態を解除させる貨幣処理機ユニットロック管理部３０６（Ｓ１１３）（制御部）を備える貨幣処理機管理システム１０である。この構成によれば、管理者（管理サーバ３（管理端末装置）のユーザ）が、ユニットのロックを管理することができる。これにより、不正なロック解除の可能性を低減させることができる。
【００７２】
［２］本実施形態一態様は、［１］の貨幣処理機管理システム１０であって、操作端末１（操作端末装置）の操作者（操作端末装置のユーザ）に関する情報を取得する撮像部１０３（情報取得部）と、操作端末１（操作端末装置）の操作者（操作端末装置のユーザ）に関する情報に基づいて認証を行う貨幣処理機ユニットロック管理部３０６（Ｓ１０７）（認証処理部）と、を備え、貨幣処理機ユニットロック管理部３０６（制御部）は、貨幣処理機ユニットロック管理部３０６（Ｓ１０７）（認証処理部）が認証に失敗した場合、ロック状態の解除を抑制する。この構成によれば、不正なロック解除を低減させることができる。
【００７３】
［３］本実施形態一態様は、［１］または［２］の貨幣処理機管理システム１０であって、貨幣処理機２は、ユニットのうち少なくとも１つについて、当該ユニットが収納している貨幣の量を示す収納量情報を取得する貨幣処理機ユニットロック管理部３０６（Ｓ１０９）（収納量情報取得部）を備え、管理サーバ３（管理端末装置）は、収納量情報を表示する貨幣処理機ユニットロック管理部３０６（Ｓ１０９）および表示部３０４（収納量情報表示部）を備える。この構成によれば、管理者は、収納量情報を参照してロック解除を行うか否かを判定することができる。不要なロック解除を抑制することで、不正なロック解除を低減させることができる。
【００７４】
［４］本実施形態一態様は、［１］または［２］の貨幣処理機管理システム１０であって、貨幣処理機２は、ユニットのうち少なくとも１つについて、当該ユニットが収納している貨幣の量を示す収納量情報を取得する貨幣処理機ユニットロック管理部３０６（Ｓ１０９）（収納量情報取得部）を備え、管理サーバ３（管理端末装置）は、収納量情報に基づいて、ユニットのうち少なくとも１つについてロック解除の要否を判定するロック解除要否判定部を備える。この構成によれば、不要なロック解除を抑制することができ、この点で、不正なロック解除を低減させることができる。
【００７５】
［５］本実施形態一態様は、［１］〜［４］の貨幣処理機管理システム１０であって、貨幣処理機２は、ユニットのロック状態を検出する検出部６５（ロック状態検出部）を備え、管理サーバ３（管理端末装置）は、ユニットがロック状態にあるか否かを表示する表示部３０４を備える。この構成によれば、管理者は、表示を参照してユニットの状態を確認できる。特に、電磁ロック制御部２１７、２２４、２３４または電磁ロック駆動部２４４（ロック処理部）の故障、または不正行為等により、管理者が意図せずにロック状態が解除されたことを検知できる。
【００７６】
［６］本実施形態一態様は、［５］の貨幣処理機管理システム１０であって、表示部３０４は、ユニットがロック状態にあるか否かの表示を一定周期で更新する。この構成によれば、管理者は、管理者自らが意図しないロック解除（不正なロック解除）の有無を常時監視することができる。
［７］本実施形態一態様は、［１］〜［６］の貨幣処理機管理システム１０であって、貨幣処理機２の周囲を撮像する撮像部１０３（撮像装置）を備え、管理サーバ３（管理端末装置）は、撮像部１０３（撮像装置）の撮像画像を表示する表示部３０４と、撮像部１０３（撮像装置）の撮像画像を記憶する情報格納部３０５（記憶部）と、を備える。この構成によれば、管理者は、撮像部１０３（撮像装置）の撮像画像を参照して、貨幣処理機２の状態を確認することができる。また、撮像部１０３（撮像装置）の撮像画像を事後的に確認することができる。
【００７７】
なお、本発明の実施の形態は上記のものに限定されない。例えば、貨幣処理機管理システム１０は、管理サーバ３を複数備えていてもよいし、管理サーバ３はタブレット端末、スマートフォン等の携帯型端末を用いて操作入力や情報表示を行うものであってもよい。
【００７８】
なお、制御部３０１の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。また上記プログラムは、前述した機能の一部を実現するためのものであっても良く、さらに前述した機能をコンピュータシステムにすでに記録されているプログラムとの組み合わせで実現できるものであっても良い。
【００７９】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００８０】
１  操作端末
２  貨幣処理機
３  管理サーバ
１０  貨幣処理機管理システム
２１  硬貨処理部
２２  紙幣処理部
２３  棒金管理部
２４  硬貨回収トレイ部
６５  検出部
１０３  撮像部
２１７、２２４、２３４  電磁ロック制御部
２２７  回収庫
２３５  棒金収納ドロア
２３６、２４６  ロック機構
２３７  棒金収納部
２４５  硬貨収納ドロア
２４７  回収硬貨収納トレイ
２４４  電磁ロック駆動部
３０３  操作部
３０４  表示部
３０５  情報格納部
３０６  貨幣処理機ユニットロック管理部
【図１】
2017162188.tif 000003
【図２】
2017162188.tif 000004
【図３】
2017162188.tif 000005
【図４】
2017162188.tif 000006
【図５】
2017162188.tif 000007